(57)【要約】【課題】  画像処理を適用する前の画像を、ユーザの要望に合わせて管理すること。【解決手段】  被写体像を撮像して画像を生成する撮像部と、前記撮像部により生成した画像に、画像処理を施す画像処理部と、画像処理が施される前の画像と、画像処理が施された後の画像との少なくとも一方を記録する記録部と、記録部に記録された画像をデジタルカメラの外部に転送する転送部と、記録部に、画像処理が施される前の画像と、画像処理が施された後の画像との両方が記録されていて、かつ、転送部により画像処理が施される前の画像が転送された場合に、画像処理が施される前の画像を記録部から削除する制御部とを備える。【選択図】    図１
2010251909.tif 000002
【特許請求の範囲】
【請求項１】
被写体像を撮像して画像を生成する撮像部と、
前記撮像部により生成した前記画像に、画像処理を施す画像処理部と、
前記画像処理が施される前の画像と、前記画像処理が施された後の画像との少なくとも一方を記録する記録部と、
前記記録部に記録された画像をデジタルカメラの外部に転送する転送部と、
前記記録部に、前記画像処理が施される前の画像と、前記画像処理が施された後の画像との両方が記録されていて、かつ、前記転送部により前記画像処理が施される前の画像が転送された場合に、前記画像処理が施される前の画像を前記記録部から削除する制御部と
を備えたことを特徴とするデジタルカメラ。
【請求項２】
請求項１に記載のデジタルカメラにおいて、
前記記録部は、前記画像処理が施された後の画像を記録する際に、前記画像処理の内容を示す情報を付帯情報として前記画像とともに記録し、
前記制御部は、前記転送部により前記画像処理が施される前の画像が転送された場合に、前記記録部に記録された前記画像処理が施された後の画像から前記付帯情報を削除する
ことを特徴とするデジタルカメラ。
【請求項３】
被写体像を撮像して画像を生成する撮像部と、
前記撮像部により生成した前記画像に、画像処理を施す画像処理部と、
前記画像処理が施される前の画像と、前記画像処理が施された後の画像との少なくとも一方を記録するとともに、前記画像処理が施された後の画像を記録する際には、前記画像処理の内容を示す情報を付帯情報として前記画像とともに記録する記録部と、
前記記録部に記録された画像をデジタルカメラの外部に転送する転送部と、
前記転送部により前記画像処理が施された後の画像が転送される場合に、転送対象である前記画像から前記付帯情報を削除する制御部と
を備えたことを特徴とするデジタルカメラ。
【請求項４】
請求項１から請求項３のいずれか１項に記載のデジタルカメラにおいて、
前記画像処理部は、前記画像処理として、被写体の顔認識処理と、色調補正と、コントラスト補正と、明るさ補正と、前記被写体の顔における特徴部分の調整との少なくとも１つを含む美肌処理を行う
ことを特徴とするデジタルカメラ。
【請求項５】
画像を取得する取得ステップと、
前記取得ステップにおいて取得した前記画像に、画像処理を施す画像処理ステップと、
前記画像処理が施される前の画像と、前記画像処理が施された後の画像との少なくとも一方を記録する記録ステップと、
前記記録ステップにおいて記録された画像を外部に転送する転送ステップと、
前記記録ステップにおいて、前記画像処理が施される前の画像と、前記画像処理が施された後の画像との両方が記録され、かつ、前記転送ステップにおいて前記画像処理が施される前の画像が転送された場合に、前記記録ステップで記録した前記画像処理が施される前の画像を削除する制御ステップと
をコンピュータで実現することを特徴とする画像処理プログラム。
【請求項６】
画像を取得する取得ステップと、
前記取得ステップにおいて取得した前記画像に、画像処理を施す画像処理ステップと、
前記画像処理が施される前の画像と、前記画像処理が施された後の画像との少なくとも一方を記録するとともに、前記画像処理が施された後の画像を記録する際には、前記画像処理の内容を示す情報を付帯情報として前記画像とともに記録する記録ステップと、
前記記録ステップにおいて記録された画像を外部に転送する転送ステップと、
前記転送ステップにおいて前記画像処理が施された後の画像が転送される場合に、転送対象である前記画像から前記付帯情報を削除する制御ステップと
をコンピュータで実現することを特徴とする画像処理プログラム。
【発明の詳細な説明】
【技術分野】
【０００１】
本発明は、デジタルカメラおよび画像処理プログラムに関する。
【背景技術】
【０００２】
従来より、画像処理により、デジタル画像に対して様々な画像処理を行う技術が考えられている。例えば、下記の非特許文献１のデジタルカメラは、人物を被写体とする際に、顔の部分を明るく美しく撮影するメイクアップ機能を有している。
【先行技術文献】
【非特許文献】
【０００３】
【非特許文献１】カシオ計算機株式会社  ＥＸＩＬＩＭ  ＺＯＯＭ  ＥＸ−Ｚ３００取扱説明書
【発明の概要】
【発明が解決しようとする課題】
【０００４】
しかし、上述した非特許文献１のデジタルカメラでは、メイクアップ機能を適用後の画像のみが記録されるため、どのような処理がどの程度施されたのか判別できない。そこで、確認表示や比較表示を目的として、メイクアップ機能を適用する前の画像を記録しておくことが考えられるが、他者に対しては、画像処理を適用したこと自体を知られたくない場合がある。
【０００５】
本発明は、上記問題に鑑みてなされたものであり、画像処理を適用する前の画像を、ユーザの要望に合わせて管理することを目的とする。
【課題を解決するための手段】
【０００６】
本発明のデジタルカメラは、被写体像を撮像して画像を生成する撮像部と、前記撮像部により生成した前記画像に、画像処理を施す画像処理部と、前記画像処理が施される前の画像と、前記画像処理が施された後の画像との少なくとも一方を記録する記録部と、前記記録部に記録された画像をデジタルカメラの外部に転送する転送部と、前記記録部に、前記画像処理が施される前の画像と、前記画像処理が施された後の画像との両方が記録されていて、かつ、前記転送部により前記画像処理が施される前の画像が転送された場合に、前記画像処理が施される前の画像を前記記録部から削除する制御部とを備える。
なお、前記記録部は、前記画像処理が施された後の画像を記録する際に、前記画像処理の内容を示す情報を付帯情報として前記画像とともに記録し、前記制御部は、前記転送部により前記画像処理が施される前の画像が転送された場合に、前記記録部に記録された前記画像処理が施された後の画像から前記付帯情報を削除しても良い。
本発明の別のデジタルカメラは、被写体像を撮像して画像を生成する撮像部と、前記撮像部により生成した前記画像に、画像処理を施す画像処理部と、前記画像処理が施される前の画像と、前記画像処理が施された後の画像との少なくとも一方を記録するとともに、前記画像処理が施された後の画像を記録する際には、前記画像処理の内容を示す情報を付帯情報として前記画像とともに記録する記録部と、前記記録部に記録された画像をデジタルカメラの外部に転送する転送部と、前記転送部により前記画像処理が施された後の画像が転送される場合に、転送対象である前記画像から前記付帯情報を削除する制御部とを備える。
なお、前記画像処理部は、前記画像処理として、被写体の顔認識処理と、色調補正と、コントラスト補正と、明るさ補正と、前記被写体の顔における特徴部分の調整との少なくとも１つを含む美肌処理を行っても良い。
【０００７】
また、上記発明に関する構成を、処理対象の画像データに対する画像処理をコンピュータで実現するための画像処理プログラムに変換して表現したものも本発明の具体的態様として有効である。
【発明の効果】
【０００８】
本発明によれば、画像処理を適用する前の画像を、ユーザの要望に合わせて管理することができる。
【図面の簡単な説明】
【０００９】
【図１】本実施形態のデジタルカメラの機能ブロック図である。
【図２】撮像指示が行われた際の制御部７の動作を示すフローチャートである。
【図３】撮像により得られた画像を記録する際の制御部７の動作を示すフローチャートである。
【図４】美肌処理前の画像を表示部８に表示する際の制御部７の動作を示すフローチャートである。
【図５】美肌処理前の画像を表示部８に表示する際の制御部７の動作を示す別のフローチャートである。
【図６】美肌処理前の画像と美肌処理後の画像との少なくとも一方を、転送する場合の制御部７の動作を示すフローチャートである。
【発明を実施するための形態】
【００１０】
以下、図面を用いて本発明の第１実施形態について説明する。図１は、本発明の第１実施形態におけるデジタルカメラ１の構成を示すブロック図である。図１に示すように、デジタルカメラ１は、撮像レンズ２、撮像素子３、Ａ／Ｄ変換部４、バッファメモリ５、画像処理部６、制御部７、表示部８、操作部９、メモリ１０、記録Ｉ／Ｆ部１１、記録媒体１２、接続部１３、通信部１４、バス１５を備える。
【００１１】
撮像レンズ２は、撮像素子３の撮像面に被写体像を結像する。なお、撮像レンズ２は、ズームレンズやフォーカスレンズ等の複数のレンズからなる撮像光学系であっても良い。撮像素子３は、撮像レンズ２を通過した被写体光を光電変換し、Ｒ、Ｇ、Ｂの各色に対応するアナログ画像信号を出力する。撮像素子３は、非撮像時、所定間隔毎に間引き読み出しを行い、スルー画像を取得する。その後、撮像素子３は、後述するレリーズ釦１８が全押しされると本画像を取得する。
【００１２】
撮像素子３から出力される画像信号は、Ａ／Ｄ変換部４に入力される。Ａ／Ｄ変換部４は、撮像素子３から出力されるアナログの画像信号をＡ／Ｄ変換し、デジタルの画像信号に変更する。なお、このデジタルの画像信号は、１コマにまとめられ、画像データとしてバッファメモリ５に記録される。バッファメモリ５は、画像処理部６による画像処理の前工程や後工程で画像データを一時的に記録する。
【００１３】
画像処理部６は、バッファメモリ５に記録された画像データに対して画像処理を施す。なお、この画像処理としては、周知のホワイトバランス調整、色補間、階調変換処理、輪郭強調処理等が挙げられる。また、画像処理部６は、記録媒体１２に画像ファイルを記録する前にＪＰＥＧ（Joint Photographic Experts Group）形式等で圧縮する処理や、圧縮された上記のデータを伸長復元する処理をも実行する。
【００１４】
また、画像処理部６は、美肌処理を行う。この美肌処理は、本画像に対して施される画像処理であり、以下に示す処理が挙げられる。
【００１５】
画像処理部６は、例えば、画像の露出をオーバー側に補正する露出補正を行う。これにより、被写体の肌が白く表現された好ましい画像を得ることができる。
【００１６】
また、画像処理部６は、ソフトフォーカス処理を行う。これにより、被写体が女性である場合、女性らしさが強調されるとともに、柔らかみのある好ましい画像を得ることができる。また、被写体のしわや肌荒れ等が目立ちにくい好ましい画像を得ることができる。
【００１７】
また、画像処理部６は、彩度のパラメータや明度のパラメータを補正し、肌を白く表現したり、肌色のくすみ等を軽減しても良い。
【００１８】
また、画像処理部６は、画像に含まれる人物を痩身に見せる補正を行う。例えば、画像処理部６は、画像の縦横比を若干縦長に変更した後、人物の部分を切り出し、画像の大きさを調整する。或いは画像処理部６は、特開２００４−２６４８９３号公報のように、顔の輪郭を補正して頬を細く見せるようにしても良い。
【００１９】
また、画像処理部６は、顔における特徴部分（眉、目、口等）の調整を行う。例えば、画像処理部６は目の部分を大きくする補正や鼻の幅を狭くする補正などを行う。また、画像処理部６は、特徴部分の色を補正する。例えば、画像処理部６は上瞼の色に青味を増す色補正や、唇の色に赤味を増す色補正を行う。これにより、アイシャドーや口紅のようなポイントメイクの効果が得られるため、被写体となる女性の見栄えを良くすることができる。
【００２０】
制御部７は、所定のシーケンスプログラムにしたがって、デジタルカメラ１の統括的な制御を行うとともに、撮像時に必要となる各種演算（ＡＦ、ＡＥ等）を実行する。また、制御部７は、顔検出部１６の機能を有している。顔検出部１６は、スルー画像、本画像、記録媒体１２に記録された画像から特徴点を抽出して顔領域、顔領域の大きさ等を検出する。例えば、顔検出部１６は、特開２００１−１６５７３号公報等に記載された特徴点抽出処理によって顔領域を抽出する。上記の特徴点としては、例えば、眉、目、鼻、唇の各端点、顔の輪郭点、頭頂点や顎の下端点等が挙げられる。そして、顔検出部１６は、顔領域の位置情報を特定する。例えば、顔検出部１６は、画像の横方向をＸ軸、縦方向をＹ軸とし、顔領域に含まれる画素のＸ座標及びＹ座標を算出する。
【００２１】
表示部８は、制御部７の制御により各種の画像を表示する。表示部８に表示される各種の画像は、スルー画像、本画像、記録媒体１２に記録された画像、メニュー画像等を含む。また、表示部８は、タッチパネル１７を備える。タッチパネル１７は、パネル上で指又はスタイラス等がタッチされた位置、ドラッグされた方向、ドラッグされた回数を検出する。タッチパネル１７の状態は制御部７により検知される。なお、タッチパネル１７は、表示部８の表面全体に積層して配置するため、表示部８と同等の大きさを有する透明なパネルで構成されている。また、本実施形態の例では、タッチパネル１７は、静電気による電気信号を感知する静電容量式のパネルで構成されている。なお、静電容量式に限らず、圧力による電圧の変化を検知する抵抗膜式のパネルなどを用いても良い。
【００２２】
操作部９は、レリーズ釦１８、十字キー１９等を有する。レリーズ釦１８は、撮像時にユーザにより操作される。十字キー１９は、上記のメニュー画像等で操作される。なお、レリーズ釦１８及び十字キー１９の状態は制御部７により検知され、検知された釦の状態に基づいたシーケンスが実行される。記録Ｉ／Ｆ部１１は、記録媒体１２を接続するためのコネクタを備えている。この記録Ｉ／Ｆ部１１と記録媒体１２とが接続されることにより、記録媒体１２に対してデータの書き込み／読み出しを実行する。
【００２３】
接続部１３は、入出力端子などを備え、デジタルカメラ１の外部の機器と相互に接続し、画像データなど入出力する。通信部１４は、無線または有線で、デジタルカメラ１の外部の機器と通信を行う。バス１５は、バッファメモリ５、画像処理部６、制御部７、表示部８、メモリ１０、記録Ｉ／Ｆ部１１を相互に接続することにより、データや信号の出入力を実行する。
【００２４】
以上説明した構成のデジタルカメラ１は、撮像により生成した画像に、上述した美肌処理を施す美肌処理モードを有する。美肌処理モードは、ポートレートモードや風景モードなどの既存のシーンモードの一つとして備えられても良いし、既存のシーンモードと独立に備えられても良い。また、美肌処理モードは、操作部９やタッチパネル１７を介したユーザの指定により設定可能としても良いし、制御部７により自動で設定可能としても良い。ユーザの指定に際しては、操作部９に専用のボタンなどを設けても良いし、表示部８にメニュー画面などを表示しても良い。
【００２５】
上述した美肌処理モードが設定され、レリーズ釦１８を介したユーザ操作により撮像指示が行われる際の制御部７の動作について、図２に示すフローチャートを参照して説明する。
ステップＳ１において、制御部７は、公知技術と同様に、被写体像を撮像する際の撮影条件を決定する。なお、制御部７は、美肌処理モードが設定されている際に好ましい撮影条件を決定しても良い。例えば、露出や撮影感度などを、美肌処理モードに適した条件としても良い。
ステップＳ２において、制御部７は、撮像レンズ２、撮像素子３、Ａ／Ｄ変換部４等を制御し、被写体像を撮像して画像を生成する。
ステップＳ３において、制御部７は、顔検出部１６により、ステップＳ２で生成した画像に対して、顔検出及び顔認識を行う。さらに、制御部７は、予め登録された特定人物の顔画像をもとに、顔認識処理を行っても良い。例えば、上述した顔検出により検出された顔の特徴点に基づいて、ステップＳ２で生成した画像に含まれる顔の特徴点の位置、各顔パーツの大きさ、各特徴点の相対距離などを演算する。そして、演算結果と、予め登録された特定人物の顔画像の画像データとを比較して、相似度を求める。そして、画像処理部６は、求めた相似度が所定の閾値を上回る場合に、予め登録された特定人物に合致したと判定する。
【００２６】
なお、上述した顔検出及び顔認識を、撮像指示が行われる前の、スルー画像（構図確認用画像）の撮像時に行っても良い。さらに、上述した顔検出及び顔認識の結果に基づいて、表情認識を行い、認識結果に基づいて、撮像タイミングを制御する構成としても良い。
【００２７】
例えば、顔検出部１６は、上述した顔検出及び顔認識の結果に基づいて主要被写体の顔の表情を認識する。そして、制御部７は、認識した表情が、例えば、目つぶりしていない状態や笑顔の状態などの所定の状態であるタイミングで撮像を行うことにより、撮影失敗の可能性を低減し、好ましい撮像を実現することができる。なお、表情認識は、例えば、顔検出部１６は、特開２００４−２７２９３３号公報や特開２００１−５１３３８号公報等に記載され技術を用いることができる。
ステップＳ５において、制御部７は、画像処理部６を制御して、ステップＳ３で行った顔検出及び顔認識の結果に基づいて、ステップＳ２で生成した画像に対して、美肌処理を行う。なお、制御部７は、ステップＳ２で生成した画像のＥｘｉｆ情報（付帯情報）に、美肌処理の内容を示す情報を記録しても良い。このような情報を記録することにより、ユーザは、どのような美肌処理が施されたのかを、画像の再生時に確認することができる。なお、美肌処理の内容を示す情報を、付帯情報として記録する代わりに、画像と対応付けた別のファイルとして記録しても良い。
ステップＳ６において、制御部７は、ステップＳ５で美肌処理を施した画像を記録Ｉ／Ｆ部１１を介して記録媒体１２に記録し、一連の処理を終了する。
一般に、美肌処理のような処理を適用した際には、どのような処理がどの程度施されたのかを確認したいというユーザの要望がある。そこで、美肌処理を施した画像を記録する際に、美肌処理前の画像も記録することが考えられる。
上述した美肌処理モードが設定された状態で、撮像により得られた画像を記録する（図２ステップＳ６）際の制御部７の動作について、図３に示すフローチャートを参照して説明する。
【００２８】
ステップＳ１１において、制御部７は、美肌処理前の画像を記録するか否かを判定する。制御部７は、美肌処理前の画像を記録すると判定するとステップＳ１２に進む。一方、美肌処理前の画像を記録しないと判定すると、制御部７は、後述するステップＳ１８に進む。
美肌処理前の画像を記録するか否かは、操作部９やタッチパネル１７を介したユーザの指定により設定可能としても良いし、制御部７により自動で設定可能としても良い。ユーザが指定する際には、撮像のたびに指定する構成としても良いし、一括で指定し、美肌処理モードが設定された状態で撮像が行われた際には、常に美肌処理前の画像を記録する（または記録しない）構成としても良い。また、制御部７により自動で設定する際には、美肌処理モードの設定の有無などに基づいて、自動設定する。
【００２９】
ステップＳ１２において、制御部７は、主要被写体が人物であるか否かを判定する。制御部７は、主要被写体が人物であると判定するとステップＳ１３に進む。一方、主要被写体が人物でないと判定すると、制御部７は、後述するステップＳ１５に進む。なお、美肌処理モードやポートレートモードなど人物を主要被写体としていると推定可能な撮影モードが設定されている場合や、図２のステップＳ３における顔検出により主要被写体が人物であると推定可能な場合には、ステップＳ１２をスキップし、ステップＳ１３に進む構成としても良い。
【００３０】
ステップＳ１３において、制御部７は、美肌処理前の画像に対するトリミングを実行するか否かを判定する。制御部７は、美肌処理前の画像に対するトリミングを実行すると判定するとステップＳ１４に進む。一方、美肌処理前の画像に対するトリミングを実行しないと判定すると、制御部７は、後述するステップＳ１５に進む。
美肌処理前の画像に対するトリミングを実行するか否かは、操作部９やタッチパネル１７を介したユーザの指定により設定可能としても良いし、制御部７により自動で設定可能としても良い。ユーザが指定する際には、撮像のたびに指定する構成としても良いし、一括で指定し、美肌処理モードが設定された状態で撮像が行われた際には、常に美肌処理前の画像に対するトリミングを行う構成としても良い。また、制御部７により自動で設定する際には、美肌処理モードの設定の有無などに基づいて、自動設定する。
【００３１】
ステップＳ１４において、制御部７は、画像処理部６を制御して、美肌処理前の画像に対するトリミングを実行する。画像処理部６は、図２のステップＳ３における顔検出の結果に基づき、美肌処理前の画像から、顔部分の画像を切り出すトリミング処理を行う。なお、トリミングの条件（処理後の画像のサイズ、トリミング範囲等）は、操作部９やタッチパネル１７を介したユーザの指定に基づいて決定する構成としても良いし、制御部７により自動で決定する構成としても良い。ただし、トリミング後の画像が小さすぎると、本来の目的である美肌処理の確認を行うのに好ましくない。そこで、処理後の画像のサイズについては、予め限界値を設定しておくのが好ましい。
【００３２】
ステップＳ１５において、制御部７は、美肌処理前の画像に対するリサイズを実行するか否かを判定する。制御部７は、美肌処理前の画像に対するリサイズを実行すると判定するとステップＳ１６に進む。一方、美肌処理前の画像に対するリサイズを実行しないと判定すると、制御部７は、後述するステップＳ１７に進む。
美肌処理前の画像に対するリサイズを実行するか否かは、操作部９やタッチパネル１７を介したユーザの指定により設定可能としても良いし、制御部７により自動で設定可能としても良い。ユーザが指定する際には、撮像のたびに指定する構成としても良いし、一括で指定し、美肌処理モードが設定された状態で撮像が行われた際には、常に美肌処理前の画像に対するリサイズを行う構成としても良い。また、制御部７により自動で設定する際には、美肌処理モードの設定の有無などに基づいて、自動設定する。
【００３３】
ステップＳ１６において、制御部７は、画像処理部６を制御して、美肌処理前の画像に対するリサイズを実行する。画像処理部６は、美肌処理前の画像または、ステップＳ１３でトリミングされた画像を、所定の倍率でリサイズする。なお、リサイズの条件（倍率等）は、操作部９やタッチパネル１７を介したユーザの指定に基づいて決定する構成としても良いし、制御部７により自動で決定する構成としても良い。ただし、リサイズ後の画像が小さすぎると、本来の目的である美肌処理の確認を行うのに好ましくない。そこで、リサイズ時の倍率については、予め限界値を設定しておくのが好ましい。なお、リサイズの対象となる画像のサイズが小さすぎる場合には、倍率を１倍以上とし、拡大処理を行う構成としても良い。
【００３４】
さらに、ステップＳ１４で説明したトリミングと、リサイズとを連動させ、美肌処理の確認に好ましい条件を決定する構成としても良い。
【００３５】
ステップＳ１７において、制御部７は、美肌処理前の画像を記録Ｉ／Ｆ部１１を介して記録媒体１２に記録する。
【００３６】
ステップＳ１８において、制御部７は、美肌処理後の画像を記録Ｉ／Ｆ部１１を介して記録媒体１２に記録し、一連の処理を終了する。ただし、ステップＳ１７において美肌処理前の画像を記録した際には、制御部７は、美肌処理前の画像と美肌処理後の画像とを関連付けて記録する。また、美肌処理前の画像と美肌処理後の画像との両方を記録する際には、２つの画像を１回の記録処理で同時に記録しても良い。
ところで、美肌処理前の画像は、どのような処理がどの程度施されたのかを確認するためには有用であるが、他者に閲覧されるのは好ましくないものである。そこで、美肌処理前の画像の再生時には、制限や保護を行うことが考えられる。
美肌処理前の画像を表示部８に表示する際の制御部７の動作について、図４に示すフローチャートを参照して説明する。
【００３７】
ステップＳ２１において、制御部７は、再生対象の画像が再生回数をカウントする画像であるか否かを判定する。制御部７は、再生対象の画像が再生回数をカウントする画像であると判定するとステップＳ２２に進む。一方、再生対象の画像が再生回数をカウントする画像でないと判定すると、制御部７は、後述するステップＳ２３に進む。
美肌処理前の画像を、「再生回数をカウントする画像」とするか否かは、操作部９やタッチパネル１７を介したユーザの指定により設定可能としても良いし、制御部７により自動で設定可能としても良い。ユーザが指定する際には、撮像や再生のたびに指定する構成としても良いし、一括で指定し、美肌処理モードが設定された状態で撮像が行われた画像については、「再生回数をカウントする画像」とする構成としても良い。また、制御部７により自動で設定する際には、美肌処理モードが設定された状態で撮像された画像であるか否かなどに基づいて、自動設定する。また、再生回数の上限値（＝ｎ）についても、ユーザの指定により設定可能としても良いし、制御部７により自動で設定可能としても良い。
【００３８】
ステップＳ２２において、制御部７は、残りカウントｎ＝０であるか否かを判定する。制御部７は、残りカウントｎ＝０であると判定すると、後述するステップＳ２４に進む。一方、残りカウントｎ＝０でないと判定すると、制御部７は、後述するステップＳ２６に進む。
【００３９】
ステップＳ２３において、制御部７は、再生対象の画像がパスワード入力を求める画像であるか否かを判定する。制御部７は、再生対象の画像がパスワード入力を求める画像であると判定するとステップＳ２４に進む。一方、再生対象の画像がパスワード入力を求める画像でないと判定すると、制御部７は、後述するステップＳ２７に進む。
【００４０】
美肌処理前の画像を、「パスワード入力を求める画像」とするか否かは、操作部９やタッチパネル１７を介したユーザの指定により設定可能としても良いし、制御部７により自動で設定可能としても良い。ユーザが指定する際には、撮像や再生のたびに指定する構成としても良いし、一括で指定し、美肌処理モードが設定された状態で撮像が行われた画像については、「パスワード入力を求める画像」とする構成としても良い。また、制御部７により自動で設定する際には、美肌処理モードが設定された状態で撮像された画像であるか否かなどに基づいて、自動設定する。また、上述した「再生回数をカウントする画像」と「パスワード入力を求める画像」との主従関係についても、ユーザの指定により設定可能としても良いし、制御部７により自動で設定可能としても良い。
【００４１】
ステップＳ２４において、制御部７は、表示部８へのメッセージの表示や、不図示のスピーカを介した音声情報などにより、ユーザにパスワードの入力を促す。
パスワードの入力は、例えば、表示部８に数字などのキーのＧＵＩ表示を行い、タッチパネル１７をユーザが操作することにより行う。また、タッチパネル１７が文字認識機能を有する場合には、タッチパネル１７の表面に数字などのパスワードを書き込むことにより、パスワードの入力を行っても良い。さらに、十字キー１８の操作順（例えば、上、下、右、左など）などをパスワードの代わりに利用しても良い。また、パスワードの入力を求める代わりに、表示部８へのメッセージの表示などにより再生を許可するか否かをユーザに問いかける構成としても良い。何れの場合も、パスワードの内容や入力方法は、操作部９やタッチパネル１７を介したユーザの指定により設定可能とすると良い。
【００４２】
ステップＳ２５において、制御部７は、パスワードが入力されたかを判定する。制御部７は、パスワードが入力されたと判定すると、後述するステップＳ２７に進む。一方、パスワードが入力されていないと判定すると、制御部７は、後述するステップＳ２８に進む。
【００４３】
ステップＳ２６において、制御部７は、残りカウントｎ＝ｎ−１としてステップＳ２７に進む。
【００４４】
ステップＳ２７において、制御部７は、表示部８を制御して、対象画像を再生、表示し、一連の処理を終了する。なお、美肌処理前の画像を表示する際には、美肌処理前の画像と美肌処理後の画像との両方を並べて表示しても良いし、切り換えて表示しても良い。何れの場合も、美肌処理前の画像と美肌処理後の画像とにおいて、対応する領域を表示するのが好ましい。そこで、美肌処理前の画像にトリミングやリサイズが施されている場合には、美肌処理後の画像にも同等の処理を施すと良い。
【００４５】
ステップＳ２８において、制御部７は、表示部８を制御して、パスワードが入力されていないことをユーザに報知するエラー表示を行い、ステップＳ２５に戻る。なお、エラー表示を行った後に、一連の処理を終了する構成としても良い。
図４のフローチャートでは、美肌処理前の画像の再生時において、パスワードを用いて制限や保護を行う例を示したが、再生回数に応じて、美肌処理前の画像を削除しても良い。このような処理を行う際の制御部７の動作について、図５に示すフローチャートを参照して説明する。
【００４６】
ステップＳ３１およびステップＳ３２において、制御部７は、図４のステップＳ２１およびステップＳ２２と同様の処理を行う。制御部７は、ステップＳ３２において残りカウントｎ＝０であると判定するとステップＳ３３に進む。一方、残りカウントｎ＝０でないと判定すると、制御部７は、後述するステップＳ３４に進む。
【００４７】
ステップＳ３３において、制御部７は、美肌処理前の画像を記録媒体１２から削除する。
【００４８】
ステップＳ３４において、制御部７は、残りカウントｎ＝ｎ−１としてステップＳ３５に進む。
【００４９】
ステップＳ３５において、制御部７は、図４のステップＳ２７と同様の処理を行い、一連の処理を終了する。
【００５０】
ここまでの説明では、美肌処理前の画像と美肌処理後の画像との両方を、記録媒体１２に記録する場合を例に挙げて説明した。しかし、美肌処理前の画像の記録に伴うメモリ容量の増大の対策として、画像を記録媒体１２以外の記録部に記録することも考えられる。例えば、デジタルカメラ１内の別メモリ、接続部１３を介して接続可能なコンピュータなどの外部機器、通信部１４を介して通信可能なインターネット上のサーバなどである。
以下では、記録媒体１２に一旦記録された美肌処理前の画像と美肌処理後の画像との少なくとも一方を、転送する場合の制御部７の動作について、図６に示すフローチャートを参照して説明する。
【００５１】
ステップＳ４１において、制御部７は、美肌処理後の画像を転送するか否かを判定する。制御部７は、美肌処理後の画像を転送すると判定するとステップＳ４２に進む。一方、美肌処理後の画像を転送しないと判定すると、制御部７は、後述するステップＳ４６に進む。  美肌処理後の画像を転送するか否かは、操作部９やタッチパネル１７を介したユーザの指定により選択される。この時、転送先についても、操作部９やタッチパネル１７を介したユーザの指定により選択される。
【００５２】
ステップＳ４２において、制御部７は、転送先に応じて接続部１３や通信部１４を制御し、美肌処理後の画像の転送を実行する。
【００５３】
ステップＳ４３において、制御部７は、美肌処理後の画像のＥｘｉｆ情報に、美肌処理の内容を示す情報が含まれるか否かを判定する。制御部７は、美肌処理の内容を示す情報が含まれると判定するとステップＳ４４に進む。一方、美肌処理後の画像のＥｘｉｆ情報に、美肌処理の内容を示す情報が含まれないと判定すると、制御部７は、後述するステップＳ４５に進む。
【００５４】
ステップＳ４４において、制御部７は、ステップＳ４２で転送した美肌処理後の画像のＥｘｉｆ情報から、美肌処理の内容を示す情報を削除する。
【００５５】
ステップＳ４５において、制御部７は、ステップＳ４２で転送した美肌処理後の画像、または、ステップＳ４４において、Ｅｘｉｆ情報から美肌処理の内容を示す情報を削除した画像を転送先に記録する。
【００５６】
ステップＳ４６において、制御部７は、美肌処理前の画像を転送するか否かを判定する。制御部７は、美肌処理前の画像を転送すると判定するとステップＳ４７に進む。一方、美肌処理前の画像を転送しないと判定すると、制御部７は、一連の処理を終了する。美肌処理前の画像を転送するか否かは、操作部９やタッチパネル１７を介したユーザの指定により選択される。この時、転送先についても、操作部９やタッチパネル１７を介したユーザの指定により選択される。
【００５７】
ステップＳ４７において、制御部７は、転送先に応じて接続部１３や通信部１４を制御し、美肌処理前の画像の転送を実行する。
【００５８】
ステップＳ４８において、制御部７は、ステップＳ４７で転送した美肌処理前の画像を転送先に記録する。
【００５９】
ステップＳ４９において、制御部７は、記録媒体１２から美肌処理前の画像を削除し、一連の処理を終了する。
【００６０】
ただし、ステップＳ４１において美肌処理後の画像の転送が選択された際には、制御部７は、美肌処理前の画像の転送（ステップＳ４７〜ステップＳ４９）と美肌処理後の画像の転送（ステップＳ４２〜ステップＳ４５）を同時に行っても良い。また、美肌処理前の画像および美肌処理後の画像の転送先は、それぞれ２箇所以上であっても良い。
【００６１】
また、図２で説明した一連の撮像処理に続けて、図６で説明した転送に関する一連の処理を行う構成としても良い。
【００６２】
また、転送後に記録された美肌処理前の画像については、図４および図５で説明した再生時の、制限や保護を行うのが好ましい。
例えば、転送後に記録された美肌処理前の画像については、その転送先に鑑みて、再生時の制限や保護を行う。転送先が、他者に閲覧される可能性の高い記録部である場合には、図４で説明した再生回数を少なくする、パスワードの要求を高くする、図５で説明した自動削除までの回数を少なくする等の対応を行うことにより、美肌処理前の画像を他者に閲覧される可能性を低減することができる。一方、転送先が、他者に閲覧される可能性の低い記録部である場合には、このような対応は不要である。
また、例えば、美肌処理前の画像と美肌処理後の画像との両方が同じ転送先に転送された場合には、特に美肌処理前の画像について、配慮するのが好ましい。これは、図２で説明した一連の撮像処理に続けて、図６で説明した転送に関する一連の処理を行う際にも同様である。何れの場合も、同じ記録部に美肌処理前の画像と美肌処理後の画像との両方が記録されることになる。そのため、美肌処理前の画像が、美肌処理後の画像と同様に、他者に閲覧されるのは好ましくない。したがって、美肌処理前の画像については、再生時の制限や保護を行う。上述した各例の他に、例えば、隠しフォルダを作成して美肌処理前の画像を隠す構成としても良い。このような制御は、デジタルカメラ１の制御部７が行っても良いし、転送先の制御部が行っても良い。
以上説明したように、本実施形態によれば、被写体像を撮像して画像を生成する撮像部と、撮像部により生成した画像に、画像処理を施す画像処理部と、画像処理が施される前の画像と、画像処理が施された後の画像との少なくとも一方を記録する記録部と、記録部に記録された画像をデジタルカメラの外部に転送する転送部とを備え、記録部に、画像処理が施される前の画像と、画像処理が施された後の画像との両方が記録されていて、かつ、転送部により画像処理が施される前の画像が転送された場合に、画像処理が施される前の画像を記録部から削除する。したがって、転送にともなって、画像処理が施される前の画像を、画像処理を適用したこと自体を知られないように管理することができる。
また、本実施形態によれば、記録部は、画像処理が施された後の画像を記録する際に、画像処理の内容を示す情報を付帯情報として画像とともに記録する。そして、転送部により画像処理が施される前の画像が転送された場合に、記録部に記録された画像処理が施された後の画像から付帯情報を削除する。したがって、その画像に画像処理を適用したこと自体を知られないように管理することができる。
【００６３】
また、本実施形態によれば、記録部に、画像処理が施される前の画像と、画像処理が施された後の画像との両方が記録されていて、かつ、画像処理が施される前の画像が転送された場合に、画像処理が施される前の画像を記録部から削除する。画像処理が施される前の画像を、画像処理を適用したこと自体を知られないように管理することができる。
【００６４】
また、本実施形態によれば、転送部により画像処理が施された後の画像が転送される場合に、転送対象である画像から付帯情報を削除する。したがって、その画像に画像処理を適用したこと自体を知られないように管理することができる。
【００６５】
なお、本実施形態では、画像処理の一例として美肌処理を例に挙げて説明したが、本発明はこの例に限定されない。例えば、被写体の顔部分の表情を加工する画像処理（笑顔モード）などを行うデジタルカメラにも、本発明を同様に適用することができる。
また、本実施形態では、デジタルカメラ１を例に挙げて説明したが、本発明はこの例に限定されない。例えば、図１に示した以外の構成を有するデジタルカメラにも本発明を同様に適用することができる。また、動画像を撮像可能なデジタルカメラにも本発明を同様に適用することができる。さらに、携帯電話などに積載されるデジタルカメラにも本発明を同様に適用することができる。
【００６６】
また、本実施形態の制御部７が行った処理の一部または全部を、コンピュータで実現する構成としても良い。この場合、コンピュータに、本実施形態の制御部７が行った処理（図２から図６）の一部または全部を実行するための画像処理プログラムを記憶しておき、この画像処理プログラムにより、同様の処理を行うことで、本実施形態と同等の効果を得ることができる。なお、画像処理プログラムで実現する際には、Ｅｘｉｆ情報などの付帯情報に基づいて、各処理を行えば良い。
【符号の説明】
【００６７】
１…デジタルカメラ、３…撮像素子、６…画像処理部、７…制御部、８…表示部、１３…接続部、１４…通信部、１６…顔検出部
【図１】
2010251909.tif 000003
【図２】
2010251909.tif 000004
【図３】
2010251909.tif 000005
【図４】
2010251909.tif 000006
【図５】
2010251909.tif 000007
【図６】
2010251909.tif 000008